(57)【要約】      （修正有）【課題】希望する大きさ、形状のリースが作成できる、生花あるいは造花のリースを提供する。【解決手段】リースは、所望のリース形状とされた型紙３と、型紙３上に設けられ、細分化された発泡樹脂でなる複数の土台パーツ２とを備えている。土台パーツ２が細分化されているから、型紙３を所望の径や形状にしておけば、任意の径、形状のリースを作成することができる。【選択図】図２
0003231741.tif 000002
【実用新案登録請求の範囲】
【請求項１】
所望のリース形状とされた型紙と、細分化された発泡樹脂でなる複数の土台パーツとを備えたリース。
【請求項２】
型紙に沿って設けた複数の土台パーツと該型紙とを覆う被覆材を備えた請求項１記載のリース。
【考案の詳細な説明】
【技術分野】
【０００１】
本考案は、リースに関する。
【背景技術】
【０００２】
リースとは、生花あるいは造花を環状につくったもので、表彰または慶弔の意を表すために用いる。西洋では花輪は英語でガーランドまたはリースとよばれているが、どちらも起源は同じで、リースは勝利者に贈る花冠の意味にも葬儀の花輪の意味にも用いられる。
【０００３】
古代には、冬にも葉を茂らせている常緑樹は魔法的な力をもっていると信じられていて、多くの民俗を生み、ギリシアでは初期には常緑樹を魔除けに用いていたが、後に、花を加えて花冠、花綵(はなづな)、花輪などをつくるようになり、ローマ時代には花冠(corona)が勝利者のシンボルのほか宴会あるいは葬儀に広く用いられるようになっている。
【０００４】
生花を使ったリースに関しては、従来、例えば特許文献１（実用新案登録第３１４０７２０号公報）に、所定の長さの複数の生木又は生花の茎部分を束ねて適当な幅（径）の１束とし、円環状にして先端と後端とをワイヤーや紐で結束し、束ねた円環状の茎部分に様々な装飾するといった構造が示されている。
【０００５】
ところが、上記のリース構造であると、適当な径とするために、複数本の長さの揃った茎部分を用意する必要があり、例えば同じ径の構造を多数制作することが困難であった。また、上記のリース構造では、生木及び生花を用いることに起因して、適当な幅に束ねた状態で円環状とするために結構な力を要すると共に、前記円環状にした茎部分の先端と後端を結束するとしても弾性復元により直線状に戻ろうとして容易に円環状を維持することができなかった。
【０００６】
こうした生木や生花の茎などを用いて作成したリースに代えて、昨今では、発泡スポンジや発泡ウレタンをいわゆる土台として、この土台に装飾をすることで作成されたリースが存在している。
【０００７】
しかしながら、土台を用いる場合、リースの径が土台によって決定してしまうので、所望の径（大きさ）のリースとすることができなかったり、決まった土台の形状（例えば円環状、星状、ハート状）ではない形状のリースを作成する場合は対応できなかったりといった問題があった。
【先行技術文献】
【特許文献】
【０００８】
【特許文献１】実用新案登録第３１４０７２０号公報
【考案の概要】
【考案が解決しようとする課題】
【０００９】
本考案は、形の決定した土台を用いたリースでは、希望する大きさ、形状のリースが作成できないことを課題とする。
【課題を解決するための手段】
【００１０】
上記課題を克服するために、本考案のリースは、所望のリース形状とされた型紙と、細分化された発泡樹脂でなる複数の土台パーツとを備えることとした。
【考案の効果】
【００１１】
本考案によれば、土台パーツが細分化されているから、型紙を所望の径や形状にしておけば、任意の径、形状のリースを作成することができる。
【図面の簡単な説明】
【００１２】
【図１】図１は、本考案のリースであり、（ａ）は表側から見た図、（ｂ）は裏側から見た図、である。
【図２】図２（ａ）〜（ｃ）は、本考案のリースの作成状況を示し、土台パーツと型紙とを一体としてオアシスを作成する状況を示す図である。
【図３】図３は、本考案のリースの作成状況を示し、土台パーツ同士の接合の状況を示す図である。
【図４】図４は、本考案のリースの作成状況を示し、オアシスを土台隠し材で覆った状況を示す図である。
【図５】図５は、本考案のリースの作成状況を示し、土台隠し材で覆ったオアシスを覆い材で覆った状況を示す図である。
【図６】図６は、本考案のリースの作成状況を示し、覆い材で覆ったオアシスを成形ワイヤーで仮保形する状況を示す図である。
【図７】図７は、本考案のリースの作成状況を示し、成形ワイヤーで仮保形したオアシスを装飾材で覆った状況を示す図である。
【図８】図８は、本考案のリースの作成状況を示し、装飾材で覆ったオアシスを仕上げワイヤーで成形した状況を示す図である。
【考案を実施するための形態】
【００１３】
本考案は、形の決定した土台を用いたリースでは、希望する大きさ、形状のリースが作成できないという課題を、所望のリース形状とされた型紙と、細分化された発泡樹脂でなる複数の土台パーツとを備えることで解消した。
【００１４】
型紙は、例えば、厚紙でよく、大きさを確保するには段ボール箱を解体して得られる段ボール紙を用いて、希望する大きさ、形状にカットして得る。
【００１５】
複数の土台パーツは、例えば直方体状の発泡樹脂を適当な大きさに切ったものでよく、これらを型紙にできるだけ隙間の無いように貼着すればよい。
【００１６】
また、本考案のリースは、上記構成において、型紙に沿って設けた複数の土台パーツと該型紙とを覆う被覆体を備える構成であってもよい。例えば被覆材としては、シサル麻や麻布をなどで覆うことで、人工的な型紙と土台パーツを隠して自然味あふれるリースとすることができる。
【実施例】
【００１７】
本考案の一実施例について図面を参照して説明する。図１は本考案のリース１である。本実施例におけるリース１は、細分化された発泡樹脂でなる複数の土台パーツ２と、これら土台パーツを並べるべく所望のリース形状とされた型紙３とを備えたことを特徴としている。
【００１８】
本例においては、型紙３は、円環状としており、その外径は例えば８０ｃｍとされている。型紙３は、例えば段ボール製とされている。
【００１９】
土台パーツ２は、例えば吸水率が０．１％以上の、セルロース系樹脂、ナイロン、ウレタン樹脂、フェノール系樹脂、ポリエーテルエーテルケトン、ポリアセタール、ポリエチレンテレフタレート、アクリル樹脂、ポリカーボネートが、採用できる。
【００２０】
また、例えば吸水率が０．１％以下であれば、フッ素樹脂、ポリエチレン、ポリプロピレン、ポリフェニレンサルファイド、ポリ塩化ビニリデン、が採用できる。本例では、完成したリース１に水を噴霧して、装飾した草花を維持させる目的で、上記の吸水率の高いウレタン樹脂を採用する。
【００２１】
土台パーツ２は、もともとの形はどのような形状でも構わないが、高さが均一で型紙３の紙面を埋めるように複数に分割されていればよい。本例のように型紙３が円環状であれば、土台パーツ２は、図２に示すように、直方体状の土台パーツ２（４個）と、９０°の平面視扇型の土台パーツ２（４個）、を用いる。
【００２２】
土台パーツ２は、型紙３に対して紙工用ボンド等で接着する。土台パーツ２同士は隙間がないことが望ましい。その後、図３に示すように、土台パーツ２同士の継ぎ目に接合線材４として例えばシサル麻を貼着して、継ぎ目を見えなくする。以下、この型紙３と土台パーツ２とを一体としたものを本例ではオアシス１Ａとする。
【００２３】
上記の後に、土台隠し材５として、本例では、上記同様にシサル麻を今度はオアシス１Ａを覆うように貼着して、図４に示すように、オアシス１Ａが露出しない状態とする。
【００２４】
続いて、図５に示すように、土台隠し材５の表面を本例では例えば麻布を採用した覆い材６で覆い、図６に示すように、覆い材６で覆った状態のオアシス１Ａを成形ワイヤー７で仮保形する。
【００２５】
さらに、覆い材６の表面を、本例ではシサル麻でなる装飾材８で覆った後、全体を仕上げワイヤー９で巻いて成形する。
【００２６】
なお、最後に本例では、側周面をモスリボン１０（図１参照）で覆う。こうすることで、側面から見ても自然材料で作成されたリース１に見える。
【００２７】
その後、リボンや各種のデコレーションやオーナメントをオアシス１Ａに刺したり、仕上げワイヤー９に括りつけたりして、図１に示すように完成状態となる。なお、図１（ａ）は表側、つまり飾る側で、図１（ｂ）は、裏側である。
【００２８】
以上のように、本考案のリース１は、作成することでオアシス１Ａは完全に土台隠し材５（シサル麻）、覆い材６（麻布）、装飾材８（シサル麻）で覆われるから、自然味あふれるものとすることができる。
【００２９】
また、本考案のリース１は、型紙３と土台パーツ２により大きさや形状を任意のものとすることができると共に、オアシス１Ａの高さを土台パーツ２の組み合わせにより高くも低くもできるので、リース１のボリュームを調整することができる。
【００３０】
また、本考案のリース１は、リボンや各種のデコレーションやオーナメントを上記のとおりオアシス１Ａに刺したり、仕上げワイヤー９に括りつけたりすることができるので、装飾のバリエーションが豊富でしかも容易に取り付けることができる。
【００３１】
また、本考案のリース１は、オアシス１Ａが人工材料なので、丈夫で長持ちすることはもちろん、装飾を外して、別の装飾を付けて作り変えることが容易である。例えば、クリスマスリースとして製作した本考案のリース１を、お正月飾りとして作り変えることも可能であり、しかも容易である。
【００３２】
さらに、土台パーツ２や型紙３として軽量な素材を採用することで、別の多数の装飾を取り付けても、例えば５ｋｇを超えて重量化することがなく、構造物の壁面や家屋の壁面において、アンカーボルトや耐荷重性の優れたフックを設けることなく、ごく一般的な貼着型のフックで吊るすことができる。
【００３３】
また、本考案のリース１は、装飾として人工材料や乾燥材料を用いた場合は、リース１の全ての材料について枯れてしまったりすることがないので長持ちすることはもちろん、維持に手間がかからない。
【００３４】
さらに、本例のリース１では、土台パーツ２として吸水性の樹脂を採用しているので、例えばオアシス１Ａに生花などを刺した場合であっても、定期的に水を吹きかけて、オアシス１Ａに水分を含ませておけば、装飾としての生花はオアシス１Ａの水分により長持ちする。
【符号の説明】
【００３５】
１  リース
１Ａ  オアシス
２  土台パーツ
３  型紙
４  接合線材
５  土台隠し材（被覆材）
６  覆い材（被覆材）
８  装飾材（被覆材）
【図１】
0003231741.tif 000003
【図２】
0003231741.tif 000004
【図３】
0003231741.tif 000005
【図４】
0003231741.tif 000006
【図５】
0003231741.tif 000007
【図６】
0003231741.tif 000008
【図７】
0003231741.tif 000009
【図８】
0003231741.tif 000010
【手続補正書】
【提出日】令和3年2月18日(2021.2.18)
【手続補正１】
【補正対象書類名】実用新案登録請求の範囲
【補正対象項目名】全文
【補正方法】変更
【補正の内容】
【実用新案登録請求の範囲】
【請求項１】
所望のリース形状とされた型紙と、この型紙上に設けられ、細分化された発泡樹脂でなる複数の土台パーツとを備えたリース。
【請求項２】
型紙に沿って設けた複数の土台パーツと該型紙とを覆う被覆材を備えた請求項１記載のリース。